(57)【要約】【課題】ネックレスの装着中に生じるネックレスのずれを確実に防止する。【解決手段】ネックレス２を保持するための保持手段（円筒体１１）と、衣類に係止するための係止手段（挟持手段１０）とを備え、首に掛けたネックレス２を該保持手段によって保持すると共に、該係止手段によって衣類に係止してネックレス２の装着時におけるずれを防止するように構成されているネックレスのずれ防止具３を提供する。【選択図】図１
2005118324.tif 000002
【特許請求の範囲】
【請求項１】
ネックレスを保持するための保持手段と、衣類に係止するための係止手段とを備え、首に掛けたネックレスを該保持手段によって保持すると共に、該係止手段によって衣類に係止してネックレスの装着時におけるずれを防止するように構成されていることを特徴とするネックレスのずれ防止具。
【請求項２】
上記保持手段はネックレスの一部を貫通させる貫通孔を備えていることを特徴とする請求項１記載のネックレスのずれ防止具。
【請求項３】
上記保持手段は円筒体であることを特徴とする請求項１又は２記載のネックレスのずれ防止具。
【請求項４】
上記保持手段は上記ネックレスに備えられた係止用リングを止めるための取付具を備えていることを特徴とする請求項１記載のネックレスのずれ防止具。
【請求項５】
上記取付具はリング状に形成された止めリングであることを特徴とする請求項４記載のネックレスのずれ防止具。
【請求項６】
上記保持手段は、ネックレスを圧接して保持する圧接保持手段を備えていることを特徴とする請求項１記載のネックレスのずれ防止具。
【請求項７】
上記係止手段は、衣類を挟持する挟持手段を備えていることを特徴とする請求項１，２，３，４，５又は６記載のネックレスのずれ防止具。
【請求項８】
上記挟持手段は互いにヒンジ結合され、且つ、互いに挟持するように付勢されて成る一対の挟持部材を備えていることを特徴とする請求項７記載のネックレスのずれ防止具。
【請求項９】
上記挟持部材は、互いに噛合する鋸歯状部を備えていることを特徴とする請求項８記載のネックレスのずれ防止具。
【請求項１０】
上記挟持手段は、互いに吸着する一対の磁石から成ることを特徴とする請求項７記載のネックレスのずれ防止具。
【請求項１１】
上記係止手段の所定位置に装飾部材を備えたことを特徴とする請求項１，２，３，４，５，６，７，８，９又は１０記載のネックレスのずれ防止具。
【請求項１２】
請求項１，２，３，４，５，６，７，８，９，１０又は１１記載のネックレスのずれ防止具とネックレスとが一体又は着脱自在に構成されて成ることを特徴とするネックレスセット。
【請求項１３】
上記ネックレスの鎖の間に所定間隔離間させて係止用リングを複数個介装させて成ることを特徴とする請求項１，２，３，４，５，６，７，８，９，１０，１１又は１２記載のネックレスセット。
【発明の詳細な説明】
【技術分野】
【０００１】
本発明は、ネックレスの装着時におけるずれを防止するずれ防止具及び該ずれ防止具を備えたネックレスセットに関するものであり、特に、ネックレスに一体又は着脱自在に取付けられネックレスの確実なずれ防止を図ったずれ防止具、及び、該ずれ防止具とネックレスとが一体又は着脱自在に構成されたネックレスセットに関するものである。
【背景技術】
【０００２】
従来、ネックレスは種類及び形状等、種々のものが知られているが、例えば、首周りに装着するネックレス本体と、該ネックレス本体の端部に備えられ、該ネックレス本体の端部間を結着する止め具と、該ネックレス本体の中央部に設けられるペンダントトップとを備えたものが一般的に知られており（例えば、特許文献１参照）、又、ネックレス本体の中央部にペンダントトップを具備しないものも知られている。
【０００３】
ところで、このようなネックレスは装着中に装着者の体の動きによって、該ネックレスが揺れ、或いは、ペンダントトップが揺れてネックレスに左右のずれが発生することがあり、このずれが、容易に元に戻らないという不都合も生じた。
【０００４】
又、このようなずれによって、装飾的効果を損なう虞があり、又、ずれる度に装着者がずれを直すことも煩雑であった。
【０００５】
そこで、このようなずれを防止するために、ずれ防止手段を具備したネックレスが提案されている（特許文献２参照）。この特許文献２に記載のネックレスの防止手段は、ネックレス本体に連結される連結部材と、該連結部材の他端部に止着される係止手段とからなり、該係止手段が衣類に係止することによりネックレス本体の装着時のずれを防止するように構成されている。
【特許文献１】特開２００３−５２４２６号公報
【特許文献２】特開２００３−２１０２２２号公報
【発明の開示】
【発明が解決しようとする課題】
【０００６】
上記特許文献２記載のずれ防止手段を具備したネックレスはネックレスのずれを防止することができるが、上記連結部材に所定の長さを有するため、該長さ分のネックレスのずれを生じる虞がある。
【０００７】
そこで、ネックレスの装着中に生じるネックレスのずれを確実に防止するために解決すべき技術的課題が発生するものであり、本発明は斯かる課題を解決することを目的とするものである。
【課題を解決するための手段】
【０００８】
上記目的を達成するために、請求項１記載の発明は、ネックレスを保持するための保持手段と、衣類に係止するための係止手段とを備え、首に掛けたネックレスを該保持手段によって保持すると共に、該係止手段によって衣類に係止してネックレスの装着時におけるずれを防止するように構成されているネックレスのずれ防止具を提供するものである。
【０００９】
この請求項１記載の発明によれば、首に掛けたネックレスを該保持手段によって保持すると共に、該係止手段によって衣類に係止するので、ネックレスのずれを防止することができる。
【００１０】
又、請求項２記載の発明は、上記保持手段はネックレスの一部を貫通させる貫通孔を備えている請求項１記載のネックレスのずれ防止具を提供するものである。
【００１１】
この請求項２記載の発明によれば、該貫通孔にネックレスを貫通させて該ネックレスを保持し、ネックレスのずれを防止することができる。
【００１２】
更に、請求項３記載の発明は、上記保持手段は円筒体である請求項１又は２記載のネックレスのずれ防止具を提供するものである。
【００１３】
この請求項３記載の発明によれば、保持手段が円筒体であるので、構成が簡単であると共に、ネックレスの一部を該円筒体内に貫通させて容易に保持させることができる。
【００１４】
更に又、請求項４記載の発明は、上記保持手段は上記ネックレスに備えられた係止用リングを止めるための取付具を備えている請求項１記載のネックレスのずれ防止具を提供するものである。
【００１５】
この請求項４記載の発明によれば、取付具によって係止用リングを容易且つ確実に取付けることができる。
【００１６】
そして、請求項５記載の発明は、上記取付具はリング状に形成された止めリングである請求項４記載のネックレスのずれ防止具を提供するものである。
【００１７】
この請求項５記載の発明によれば、取付具が止めリングであるから形状が簡単でしかも取付けも確実となる。
【００１８】
又、請求項６記載の発明は、上記保持手段は、ネックレスを圧接して保持する圧接保持手段を備えている請求項１記載のネックレスのずれ防止具を提供するものである。
【００１９】
この請求項６記載の発明によれば、前記圧接保持手段によって、ネックレスを圧接して保持することができる。
【００２０】
更に、請求項７記載の発明は、上記記係止手段は、衣類を挟持する挟持手段を備えている請求項１，２，３，４，５又は６記載のネックレスのずれ防止具を提供するものである。
【００２１】
この請求項７記載の発明によれば、前記挟持手段によって衣類を挟持して係止することができる。
【００２２】
更に又、請求項８記載の発明は、上記挟持手段は互いにヒンジ結合され、且つ、互いに挟持するように付勢されて成る一対の挟持部材を備えている請求項７記載のネックレスのずれ防止具を提供するものである。
【００２３】
この請求項８記載の発明によれば、前記一対の挟持部材を備えているので衣類を挟持して容易且つ強固に衣類に係止することができる。
【００２４】
そして、請求項９記載の発明は、上記挟持部材は、互いに噛合する鋸歯状部を備えている請求項８記載のネックレスのずれ防止具を提供するものである。
【００２５】
この請求項９記載の発明によれば、前記鋸歯状部によって衣類への挟持係止がより一層確実強固になされる。
【００２６】
又、請求項１０記載の発明は、上記挟持手段は、互いに吸着する一対の磁石から成る請求項７記載のネックレスのずれ防止具を提供するものである。
【００２７】
この請求項１０記載の発明によれば、前記磁石によって衣類を容易に挟持することができる。
【００２８】
更に、請求項１１記載の発明は、上記係止手段の所定位置に装飾部材を備えた請求項１，２，３，４，５，６，７，８，９又は１０記載のネックレスのずれ防止具を提供するものである。
【００２９】
この請求項１１記載の発明によれば、前記装飾部材によって装飾的効果を高めることができる。
【００３０】
更に又、請求項１２記載の発明は、請求項１，２，３，４，５，６，７，８，９，１０又は１１記載のネックレスのずれ防止具とネックレスとが一体又は着脱自在に構成されて成るネックレスセットを提供するものである。
【００３１】
この請求項１２記載の発明によれば、ネックレスのずれ防止具とネックレスとが一体又は着脱自在に構成されているから、ネックレスのずれ防止が容易になり、又、装着時の利便性を高めることができる。
【００３２】
そして、請求項１３記載の発明は、上記ネックレスの鎖の間に所定間隔離間させて係止用リングを複数個介装させて成る請求項１，２，３，４，５，６，７，８，９，１０，１１又は１２記載のネックレスセットを提供するものである。
【００３３】
この請求項１３記載の発明によれば、前記複数個の係止用リングによって所定長さのネックレスの鎖を取り付け、取り外し自在とし、ネックレスの長さを自在に調節することができる。
【発明の効果】
【００３４】
本発明の請求項１記載の発明は、ネックレスを保持するための保持手段と、衣類に係止するための係止手段とを備え、首に掛けたネックレスを該保持手段によって保持すると共に、該係止手段によって衣類に係止してネックレスの装着時におけるずれを防止するように構成されているネックレスのずれ防止具であるので、首に掛けたネックレスを該保持手段によって保持すると共に、該係止手段によって衣類に係止するので、ネックレスのずれを防止することができる。
【００３５】
又、請求項２記載の発明は、上記保持手段はネックレスの一部を貫通させる貫通孔を備えているので、請求項１記載の発明の効果に加え、該貫通孔にネックレスを貫通させて該ネックレスを保持し、ネックレスのずれを防止することができる。
【００３６】
更に、請求項３記載の発明は、上記保持手段は円筒体であるので、請求項１又は２記載の発明の効果に加え、該円筒体は構成が簡単であると共に、ネックレスの一部を該円筒体内に貫通させて容易に保持させることができる。
【００３７】
更に又、請求項４記載の発明は、上記保持手段は上記ネックレスに備えられた係止用リングを止めるための取付具を備えているので、請求項１記載の発明の効果に加え、該取付具によって係止用リングを容易に取付けることができる。
【００３８】
そして、請求項５記載の発明は、上記取付具はリング状に形成された止めリングであるので、請求項４記載の発明の効果に加え、該止めリングは形状が簡単であり、しかも取付けも容易且つ確実である。
【００３９】
又、請求項６記載の発明は、上記保持手段は、ネックレスを圧接して保持する圧接保持手段を備えているので、請求項１記載の発明の効果に加え、前記圧接保持手段によって、ネックレスを圧接して保持することができる。
【００４０】
更に、請求項７記載の発明は、上記記係止手段は、衣類を挟持する挟持手段を備えているので、請求項１，２，３，４，５又は６記載の発明の効果に加え、前記挟持手段によって衣類を挟持して係止することができる。
【００４１】
更に又、請求項８記載の発明は、上記挟持手段は互いにヒンジ結合され、且つ、互いに挟持するように付勢されて成る一対の挟持部材を備えているので、請求項７記載の発明の効果に加え、前記一対の挟持部材によって衣類を挟持して容易且つ強固に衣類に係止することができる。
【００４２】
そして、請求項９記載の発明は、上記挟持部材は、互いに噛合する鋸歯状部を備えているので、請求項８記載の発明の効果に加え、前記鋸歯状部によって衣類への挟持係止がより一層確実強固になされる。
【００４３】
又、請求項１０記載の発明は、上記挟持手段は、互いに吸着する一対の磁石から成るので、請求項７記載の発明の効果に加え、吸着する一対の前記磁石によって衣類を容易に挟持することができる。
【００４４】
更に、請求項１１記載の発明は、上記係止手段の所定位置に装飾部材を備えているので請求項１，２，３，４，５，６，７，８，９又は１０記載の発明の効果に加え、前記装飾部材によって装飾的効果を高めることができる。
【００４５】
更に又、請求項１２記載の発明は、請求項１，２，３，４，５，６，７，８，９，１０又は１１記載のネックレスのずれ防止具とネックレスとが一体又は着脱自在に構成されて成るネックレスセットであるので、ネックレスのずれ防止具とネックレスとが一体又は着脱自在に構成されていることにより、ずれ防止が容易になると共に、装着時の利便性を高めることができる。
【００４６】
又、従来例のネックレスのずれ防止手段が、所定長の連結部材を介してネックレスを衣類に取付けていたのに対して、本発明は、斯かる連結部材が不要となるため、連結部材の長さに相当するネックレスのずれも防止することができる。
【００４７】
このように、ネックレスのずれが防止されることにより、ネックレス装着時のデザイン的装飾効果が損なわれることがなく、また、ネックレス装着者がネックレスのずれを直す煩雑さが回避される。
【００４８】
そして、請求項１３記載の発明は、上記ネックレスの鎖の間に所定間隔離間させて係止用リングを複数個介装させているので、請求項１，２，３，４，５，６，７，８，９，１０，１１又は１２記載の発明の効果に加え、前記複数個の係止用リングによってネックレスの鎖を取り付け或いは取り外すことにより、ネックレスの長さを自在に調節することができる等、正に著大なる効果を奏する発明である。
【発明を実施するための最良の形態】
【００４９】
ネックレスの装着中に生じるネックレスのずれを確実に防止するという目的を、ネックレスを保持するための保持手段と、衣類に係止するための係止手段とを備えたずれ防止具によって達成した。
【実施例１】
【００５０】
以下、本発明につき一実施の形態を図１乃至図８に従って詳細に説明する。図１において、１はネックレスセットであり、該ネックレスセット１はネックレス２と、該ネックレス２のずれを防止するためのずれ防止具３から成り、該ずれ防止具３は該ネックレス２に着脱自在に構成されている。
【００５１】
そして、前記ネックレス２はネックレス本体４の両端部に比較的細い鎖部５，６の端部が夫々結着され、一方の鎖部５の他端部にはリングの一部を開放自在の係止用リング７が止着され、他方の鎖部６の他端部には孔付きプレート８が止着されており、該孔付きプレート８の孔（図示せず）内に前記係止用リング７が係止するように構成されている。又、該ネックレス本体４の略中央部にはペンダントトップ９が止着されている。
【００５２】
一方、前記ずれ防止具３は衣類を挟持して係止するための係止手段としての挟持手段１０と、前記ネックレス２を保持する保持手段としての円筒体１１を備えており、該挟持手段１０はヒンジ部１２によってヒンジ結合された一対の挟持部材１３，１４から構成され、該挟持部材１３，１４は一方の挟持部材１４の一部が切欠されて形成されるバネ部１５によって、図２に示す互いに開放する位置及び、互いに挟持する位置に於て付勢され、該挟持する位置に於て衣類Ｗを挟持するように構成されている。
【００５３】
又、前記円筒体１１は金属、合成樹脂又はゴム等によって形成され、一方の前記挟持部材１３の前記ヒンジ部１２近傍に結着されている。そして、該円筒体１１の孔１１ａは前記鎖６及び前記孔付きプレート８が若干の余裕を有して貫通する程度の大きさに形成され、且つ、前記係止用リング７よりも小さく形成されている。
【００５４】
而して、前記係止用リング７と前記孔付きプレート８を離反させた状態で、該孔付きプレート８及び前記鎖６を前記円筒体１１の孔１１ａ内を貫通させた後、該孔付きプレート８と該係止用リング７とを係合して、前記ネックレス２を該円筒体１１に保持させ、該ネックレス２に前記ずれ防止具３を取付ける。
【００５５】
次に、該ネックレス２に該ずれ防止具３が取付けられたネックレスセット１を前記ペンダントトップ９が最下方に位置するようにして、装着者の首に掛けたのち、該ずれ防止具３の前記挟持手段１０で装着者（図示せず）の首の後部の衣類（図示せず）を挟持すれば、該ネックレスセット１のずれ止めが完了する。
【００５６】
尚、前記ネックレス２を装着者の首にかけた後、前記ずれ防止具３を取付けることも可能である。
【００５７】
そして、該ネックレスセット１を装着した状態で装着者が動いた場合、該ネックレスセット１は装着者の動きに応じて揺れ動き、特に、前記ペンダントトップ９が大きく揺れるが、前記ずれ防止部３が該ネックレスセット１のずれを止めるため、該ネックレスセット１はずれることはなく、従って、従来例のネックレスのずれを修正する操作も不必要となる。
【００５８】
又、前記ずれ防止具３と前記ネックレス２とは従来例の連結部材を介することなく直接保持されるので、ネックレス２のずれはほとんど発生しない。
【００５９】
但し、前記円筒体１１内に前記孔付きプレート８及び鎖部６が貫通し、該孔付きプレート８に係止用リング７が係合されているので、図１に於て、該円筒体１１の端部に該係止用リング７が当接して左回転方向のずれを止めることができるが、ネックレス２が右回転方向に動いた場合、該孔付きプレート８及び該鎖部６が摺動運動をして、多少のずれが生じることも考えられる。然しながら、その場合に於ても、該孔付きプレート８及び該鎖部６と、前記円筒体１１の孔１１ａとの摩擦によりずれる量が所定量内に制限されると共に、前記ペンダントトップ９の重量によって元の位置に復帰することも期待できる。
【００６０】
斯くして、前記ネックレスセット１は、簡易な構成で、ネックレスのずれを防止することができると共に、装着時の取り付けも容易である。
【００６１】
尚、前記円筒体１１の孔１１ａは前記鎖５，６及び前記孔付きプレート８が若干の余裕を有して貫通する程度の大きさに形成され、且つ、前記係止用リング７よりも小さく形成したが、これに代えて前記係止用リング７が若干の余裕を有して貫通する大きさに形成することも可能であり、然る時も、前記ネックレス２を保持することができ、ネックレス２の鎖部５，６及び前記孔付きプレート８の前記孔１１ａへの挿入も容易となるが、該ネックレス２装着時のずれが比較的大きくなる問題がある。
【００６２】
又、前記ネックレスセット１に於て、前記ずれ防止具３は前記ネックレス２に着脱自在に取付けられたが、該ずれ防止具３を前記ネックレス２に一体に取付けることも可能であり、然る時もずれ防止に於て同様の効果が期待できる。
【００６３】
更に、前記ずれ防止具３は保持手段として円筒体１１を設けたが、該円筒体１１に代えて該ずれ防止具３の所定位置に図示しないリブ等を設け、該リブに前記ネックレス２の孔付きプレート８及び鎖部６を貫通させる貫通孔を開穿しても良く、然る時も、前記円筒体１１と略同様の効果が期待できる。
【００６４】
図３は前記ネックレスセット（図１に於て１）のネックレス（図１に於て２）に代えてネックレス１６を前記ずれ防止具３に取付けたものであり、該ネックレス１６は該ネックレス１６の両端に２個の係止用リング１７，１７を備え、該係止用リング１７，１７が前記円筒体１１の両端に夫々接触するように該係止用リング１７，１７間に所定長さの鎖部１８と孔付きプレート１９を設けたものである。
【００６５】
これによれば、該係止用リング１７，１７が前記円筒体１１の両端に当接してネックレス１６のずれを確実に防止することができる。
【００６６】
図４は前記ずれ防止具（図３に於て３）に代えてずれ防止具２０を用いるものであり、該ずれ防止具２０は前記円筒体（図３に於て１１）に代えて、挟持部材１３の両端に取付け具である止めリング２１，２２を設けたものである。一方、前記ネックレス（図３に於て１６）に代えてネックレス２３を用い、該ネックレス２３は該ネックレス２３の両端に２個の係止用リング１７，１７を取付けたものである。
【００６７】
而して、該係止用リング１７，１７を前記止めリング２１，２２に夫々係止すれば、前記ネックレス２３は前記ずれ防止具２０に係止され、ずれが完全に防止される。
【００６８】
尚、前記ずれ防止具２０は取付け具として止めリング２１，２２を設けたがこれに限定されることなく、前記係止用リング１７，１７を係止することができる孔が形成されておれば良く、然る時も同様の効果を得ることができる。
【００６９】
図５及び図６は前記ずれ防止具（図３に於て３）に代えて用いられるずれ防止具２４であり、該ずれ防止具２４は、ヒンジ部２５回りに回動し、図示しない適宜手段によって、挟持方向に付勢される挟持部材２６，２７と、該挟持部材２６，２７の該ヒンジ部２５近傍に夫々固着されてネックレス（図示せず）の鎖部２８を圧接保持するように屈曲状態に構成された圧接保持手段２９を備えている。該圧接保持手段２９は例えばスポンジ状又は軟質の合成樹脂、ゴム等、或いは布、革等で形成され、前記鎖部２８を傷つけないように圧接するように構成されている。
【００７０】
又、該ずれ防止具２４の挟持部材２６，２７の挟持側先端部に夫々互いに噛合する鋸歯状部３０，３０が形成されていると共に、一方の挟持部材２６の表面側に装飾部材３１が装着されている。
【００７１】
而して、前記挟持部材２６，２７を開放状態にし、前記圧接保持手段２９にネックレスの鎖２８を載置した状態で前記挟持部材２６，２７を挟持方向に回動して前記鋸歯状部３０，３０で衣類を挟持すると、前記鋸歯状部３０，３０によって衣類が確実且つ強固に挟持されると共に、同時に前記圧接保持手段２９により前記鎖２８も圧接されて確実に保持される。
【００７２】
尚、図示は省略するが、該圧接保持手段２９を一対の圧接保持手段で形成して、前記挟持部材２６，２７に夫々固着する構成としても良く、然る時も同様の効果が期待できる。
【００７３】
又、前記装飾部材３１は前記ずれ止め防止具２４に装着してその装飾効果を高めたものであるが、該装飾部材３１は、前記ずれ防止具３，２０にも同様に取付けて装飾効果を高めることができる。
【００７４】
図７は前記ずれ防止具（図４に於て２０）に代えて用いられるずれ防止具３２であり、該ずれ防止具３２は互いに吸着する磁石３３，３４と、該磁石３３，３４を夫々保持する一対の保持部材３５，３６とから成り、該一対の保持部材３５，３６は所定長さの鎖状体３７で連結されており、一方の保持部材３５の両端に止めリング３８，３９が設けられ、該保持部材３５の所定位置に真珠等の装飾部材４０が装着されている。一方、該ずれ防止具３２に対して前記ネックレス２３（図４参照）が取付けられる。即ち、前記止めリング３８，３９に該ネックレス２３の係止用リング１７，１７が夫々係止されて該ネックレス２３は該ずれ防止具３２に止着される。
【００７５】
該ずれ防止具３２も前記磁石３３，３４間に衣類を容易に挟持することができ、これによって、ネックレス２３のずれ止めが可能となる。
【００７６】
図８は前記ネックレス（図１に於て２）を改良したネックレス４１であり、ネックレス４１の鎖部４２に複数個の係止用リング１７，１７…を設けたものであり、該係止用リング１７，１７…によって前記ネックレス４１の長さを調節できると共に、前述したずれ防止具３，２０，２４，３２に取付ける際に取付け位置を適宜選択できるようにしたものである。
【００７７】
尚、本発明は、本発明の精神を逸脱しない限り種々の改変を為すことができ、そして、本発明が該改変されたものに及ぶことは当然である。
【図面の簡単な説明】
【００７８】
【図１】本発明の一実施の形態を示し、ネックレスセットの裏面図。
【図２】本発明の一実施の形態を示し、円筒体を設けたずれ防止具の側面図。
【図３】本発明の一実施の形態を示し、円筒体を設け、且つ、ネックレスの両端に係止リングを設けて確実なずれ防止を図ったずれ防止具の平面図。
【図４】本発明の他の実施の形態を示し、止めリングを設けたずれ防止具の正面図。
【図５】（ａ）本発明の他の実施の形態を示し、圧接保持手段を設けたずれ防止具の側面図。（ｂ）前図（a）のずれ防止具が閉じた状態を示す一部側面図。
【図６】前図５に示すずれ防止具が閉じた状態を示す平面図。
【図７】本発明の他の実施の形態を示し、磁石を用いたずれ防止具の一部切欠正面図。
【図８】ネックレスの鎖部に複数の係止用リングを介在させたネックレスの一部正面図。
【符号の説明】
【００７９】
１    ネックレスセット
２    ネックレス
３，２０，２４，３２    ずれ防止具
７，１７    係止用リング
１０    挟持手段
１１    円筒体
１３，１４，２６，２７    挟持部材
１６，２３    ネックレス
２１，２２，３８，３９    止めリング
２９    圧接保持手段
３０    鋸歯状部
３１，４０    装飾部材
３３，３４    磁石
Ｗ    衣類
【図１】
2005118324.tif 000003
【図２】
2005118324.tif 000004
【図３】
2005118324.tif 000005
【図４】
2005118324.tif 000006
【図５】
2005118324.tif 000007
【図６】
2005118324.tif 000008
【図７】
2005118324.tif 000009
【図８】
2005118324.tif 000010